(57)【要約】【課題】電子機密文書閲覧装置及びその閲覧方法を提供することを目的とする。【解決手段】本発明の電子機密文書閲覧装置は、表示装置と、変形ユニットを有し、前記表示装置に表示される機密文書のセキュリティイメージを横向きに所定の変位値を移動させて保護イメージを生成し、前記セキュリティイメージ及び前記保護イメージの中の１つのイメージを左イメージに設定し、他の１つのイメージを右イメージに設定して、少なくとも１つの時計サイクルの後に、１つの固定頻度によって前記左イメージ及び前記右イメージを前記表示装置に交互に送信して表示させてオーバーラップイメージを獲得する電子装置と、回復ユニットを有し、前記表示装置に表示されるオーバーラップイメージを受信して、前記オーバーラップイメージの中の左イメージ及び右イメージを分離して使用者が見ることにする眼鏡と、を備える。【選択図】図１
2012098729.tif 000002
【特許請求の範囲】
【請求項１】
イメージを表示する表示装置と、
変形ユニットを有し、該変形ユニットが、前記表示装置に表示される機密文書のセキュリティイメージを横向きに所定の変位値を移動させて保護イメージを生成し、前記セキュリティイメージ及び前記保護イメージの中の１つのイメージを左イメージに設定し、他の１つのイメージを右イメージに設定して、少なくとも１つの時計サイクルの後に、１つの固定頻度によって前記左イメージ及び前記右イメージを前記表示装置に交互に送信して表示させてオーバーラップイメージを獲得する電子装置と、
回復ユニットを有し、該回復ユニットが前記表示装置に表示されるオーバーラップイメージを受信して、前記オーバーラップイメージの中の左イメージ及び右イメージを分離して使用者が見ることにする眼鏡と、
を備えることを特徴とする電子機密文書閲覧装置。
【請求項２】
前記変位値は前記表示装置に表示されるイメージサイズ及び字体サイズによって確定し、前記固定頻度は前記表示装置のスクリーン表示頻度によって確定することを特徴とする請求項１に記載の電子機密文書閲覧装置。
【請求項３】
前記眼鏡及び前記表示装置は、リアルタイムクロックをそれぞれに備え、
前記眼鏡のリアルタイムクロックは、前記表示装置のリアルタイムクロックから持続に伝送される信号を受信して、前記眼鏡のリアルタイムクロックが前記表示装置のリアルタイムクロックと同期することを特徴とする請求項１に記載の電子機密文書閲覧装置。
【請求項４】
前記信号は、高固定頻度及び低パルスの同期信号又は前記変形ユニットの変形パラメーターであり、前記変形パラメーターは、前記左イメージ及び前記右イメージの設定を指すことを特徴とする請求項３に記載の電子機密文書閲覧装置。
【請求項５】
電子装置の中の機密文書をクリックして、表示装置に前記機密文書のセキュリティイメージを表示するステップと、
前記機密文書のセキュリティイメージを横向きに所定の変位値を移動させて保護イメージを生成するステップと、
前記セキュリティイメージ及び前記保護イメージの中の１つのイメージを左イメージに設定し、他の１つのイメージを右イメージに設定するステップと、
少なくとも１つの時計サイクルの後に、１つの固定頻度によって前記右イメージ及び前記左イメージを前記表示装置に交互に送信して表示させてオーバーラップイメージを獲得するステップと、
使用者がかけた眼鏡が前記オーバーラップイメージを受けるステップと、
前記オーバーラップイメージの中の左イメージ及び右イメージを分離してから、使用者が閲覧するようにするステップと、
を備えることを特徴とする電子機密文書閲覧方法。
【請求項６】
前記オーバーラップイメージの中の左イメージ及び右イメージを分離する前に、前記眼鏡のリアルタイムクロックは、前記表示装置のリアルタイムクロックから持続に伝送される信号を受信して、前記眼鏡のリアルタイムクロックが前記表示装置のリアルタイムクロックと同期することを特徴とする請求項５に記載の電子機密文書閲覧方法。
【発明の詳細な説明】
【技術分野】
【０００１】
本発明は、電子機密文書閲覧装置及びその閲覧方法に関するものである。
【背景技術】
【０００２】
タブレットＰＣのような電子閲読装置が普及したために、バス又は電車などの公衆の中でタブレットＰＣによって機密のＥ−ｍａｉｌを受けることができ、且つＥ−ｍａｉｌをすぐ閲覧して処理することを必要とする場合がある。しかしながら、Ｅ−ｍａｉｌの内容を他人に見られたくない場合には、人の少ない場所に移動しなければならない。又、開放性の事務室でコンピューターの機密文書を閲覧する際、隣を通過する他人が表示装置に示された機密内容を見ることを防止することが困難である。
【発明の概要】
【発明が解決しようとする課題】
【０００３】
本発明の目的は、前記課題を解決し、使用者が機密文書を閲覧する際、居合わせる他人が機密文書の内容を見ることを効果的に防止することができる電子機密文書閲覧装置及びその閲覧方法を提供することである。
【課題を解決するための手段】
【０００４】
本発明に係る電子機密文書閲覧装置は、表示装置と、変形ユニットがインストールされ、前記表示装置に表示される機密文書のセキュリティイメージを横向きに所定の変位値を移動させて保護イメージを生成し、前記セキュリティイメージ及び前記保護イメージの中の１つのイメージを左イメージに設定し、他の１つのイメージを右イメージに設定して、少なくとも１つの時計サイクルの後に、１つの固定頻度によって前記左イメージ及び前記右イメージを前記表示装置に交互に送信して表示させてオーバーラップイメージを獲得する電子装置と、回復ユニットを有し、前記表示装置に表示されるオーバーラップイメージを受信して、前記オーバーラップイメージの中の左イメージ及び右イメージを分離して使用者が見ることにする眼鏡と、を備える。
【０００５】
本発明に係る電子機密文書閲覧方法は、電子装置の中の機密文書をクリックして、表示装置に前記機密文書のセキュリティイメージを表示するステップと、前記機密文書のセキュリティイメージを横向きに所定の変位値を移動させて保護イメージを生成するステップと、前記セキュリティイメージ及び前記保護イメージの中の１つのイメージを左イメージに設定し、他の１つのイメージを右イメージに設定するステップと、少なくとも１つの時計サイクルの後に、１つの固定頻度によって前記右イメージ及び前記左イメージを前記表示装置に交互に送信して表示させてオーバーラップイメージを獲得するステップと、使用者がかけた眼鏡が前記オーバーラップイメージを受けるステップと、前記オーバーラップイメージの中の左イメージ及び右イメージを分離してから、使用者が閲覧するようにするステップと、を備える。
【発明の効果】
【０００６】
従来の技術に比べて、本発明の電子機密文書閲覧装置及びその閲覧方法は、機密文書の内容を変形画面の形式で表示装置に表示し、使用者がかけた眼鏡で前記変形画面を回復するので、使用者が機密文書を閲覧する際、居合わせる他人が機密文書の内容を見ることを効果的に防止することができる。
【図面の簡単な説明】
【０００７】
【図１】本発明の実施形態に係る電子機密文書閲覧装置の具体的なブロックダイアグラムである。
【図２】本発明の実施形態に係る電子機密文書閲覧方法のフローチャートである。
【図３】図１に示す電子機密文書閲覧装置の表示ユニットに示された機密文書のセキュリティイメージＡ１をオーバーラップイメージに変換する１つの例を説明する図である。
【図４】図１に示す電子機密文書閲覧装置の表示ユニットに示されたオーバーラップイメージをセキュリティイメージＡ１に回復する１つの例を説明する図である。
【発明を実施するための形態】
【０００８】
以下、図面を参照して、本発明の実施形態について説明する。
【０００９】
図１は、本発明の実施形態に係る電子機密文書閲覧装置の具体的なブロックダイアグラムである。前記電子機密文書閲覧装置１は、電子装置１０及び機密文書を閲覧するために用いられる眼鏡１４を備える。前記電子装置１０は、携帯電話、ノートパソコン、ＰＤＡ、卓上型コンピューター、テレビジョンなどであることができ、表示装置１２を内蔵するか又は外部の表示装置１２に接続する。前記表示装置１２は、リアルタイムクロック（Ｒｅａｌ  Ｔｉｍｅ  Ｃｌｏｃｋ，ＲＴＣ）１２０を内臓する。  
【００１０】
前記電子装置１０は、変形ユニット１００と、ストレージユニット１０２と、少なくとも１つのプロセッサー１０４と、を備える。前記眼鏡１４は、回復ユニット１４０と、ストレージユニット１４２と、リアルタイムクロック１４４と、を備える。前記ストレージユニット１０２には、イメージ（画像又はテキスト）の変形を行うための変形ソフトウェアがインストールされおり、前記変形ユニット１００は、前記ストレージユニット１０２にインストールされている変形ソフトウェアを読み出して実行することにより以下のイメージの処理を行う。すなわち、前記変形ユニット１００は、前記変形ユニット１００のプログラムコードを実行し、即ち、前記表示装置１２に表示される機密文書のセキュリティイメージＡ１を横向きに所定の変位値ｓを移動させて保護イメージを生成し、且つ少なくとも１つの時計サイクル（本実施形態において、１つの時計サイクルである）の後に、１つの固定頻度によって２つのイメージを前記表示装置１２に交互に送信して表示させる。
【００１１】
前記変位値ｓは、前記表示装置１２に表示されるイメージサイズ及び字体サイズによって確定し、例えば、前記変位値は１つの文字の幅より小さい。前記固定頻度は、前記表示装置１２のスクリーン表示頻度によって確定し、前記表示装置１２のスクリーン表示頻度は前記固定頻度の１／整数倍であり、例えば、前記表示装置１２のスクリーン表示頻度が１２０Ｈｚである場合、前記固定頻度は６０Ｈｚ、３０Ｈｚなどである。  
【００１２】
前記変形ユニット１００は、前記セキュリティイメージＡ１及び前記保護イメージの中の１つのイメージを左イメージに設定し、他の１つのイメージを右イメージに設定して、２つのイメージを前記表示装置１２に交互に表示する際、図３及び図４に示されたように、前記表示装置１２に表示される画面は、はっきり識別できないオーバーラップイメージＡ２である。
【００１３】
前記ストレージユニット１４２には、イメージの変形を回復する回復ソフトウェアがインストールされており、前記回復ユニットは、前記ストレージユニット１４２にインストールされている回復ソフトウェアを読み出して実行することにより以下の処理を行う。すなわち、前記表示装置１２のリアルタイムクロック１２０と同期して、前記表示装置１２に表示されるオーバーラップイメージＡ２の中の左イメージ及び右イメージを分離する。
【００１４】
前記変形ユニット１００は、前記セキュリティイメージＡ１を右イメージ（図４に示されたＲである）に設定し、前記セキュリティイメージＡ１を移動させて生成した保護イメージを左イメージ（図４に示されたＬである）に設定する。前記表示装置１２のスクリーン表示頻度によって、複数のフレームのイメージを“ＲＬＲＬＲＬＲＬＲＬ……”の順序で伝送して、前記表示装置１２にオーバーラップイメージＡ２を表示し、前記オーバーラップイメージＡ２の中の奇数フレームのイメージは右イメージであり、前記オーバーラップイメージＡ２の中の偶数フレームのイメージは左イメージである。前記回復ユニット１４０は、前記オーバーラップイメージＡ２の中の全ての奇数番目のイメージを取り出して右イメージを組成し、前記オーバーラップイメージＡ２の中の全ての偶数番目のイメージを取り出して左イメージを組成して、前記オーバーラップイメージＡ２の中の左イメージ及び右イメージを分離する。
【００１５】
図２は、本発明の実施形態に係る電子機密文書閲覧方法のフローチャートである。
【００１６】
ステップＳ０１において、使用者は前記電子装置１０の中の機密文書をクリックする。
【００１７】
ステップＳ０３において、前記電子装置１０は、前記表示装置１２に前記機密文書のセキュリティイメージＡ１を表示する。
【００１８】
ステップＳ０５において、前記変形ユニット１００は、前記機密文書のセキュリティイメージＡ１を横向き所定の変位値を移動させて保護イメージを生成する。図４に示されたように、前記変形ユニット１００は、前記機密文書のセキュリティイメージＡ１を横向きに変位値ｓを移動させて保護イメージを生成する。
【００１９】
ステップＳ０７において、前記変形ユニット１００は、前記セキュリティイメージＡ１及び前記保護イメージの中の１つのイメージを左イメージに設定し、他の１つのイメージを右イメージに設定する。図４に示されたように、前記表示装置１２のスクリーン表示頻度が１２０Ｈｚである場合、即ち前記表示装置１２が１秒ごとに１２０フレームのイメージを表示する場合、前記変形ユニット１００は、前記セキュリティイメージＡ１を右イメージＲに設定し、前記セキュリティイメージＡ１を移動させて生成した保護イメージを左イメージＬに設定し、即ち前記変形ユニット１００は、前記表示装置１２に表示される奇数フレームのイメージを右イメージＲに設定し、前記表示装置１２に表示される偶数フレームのイメージを左イメージＬに設定して、前記表示装置１２に表示されるイメージの順序は“ＲＬＲＬＲＬＲＬＲＬ……”である。  
【００２０】
ステップＳ０９において、前記変形ユニット１００は、少なくとも１つの時計サイクル（本実施形態において、１つの時計サイクルである）の後に、１つの固定頻度によって前記右イメージＲ及び前記左イメージＬを前記表示装置１２に交互に送信して表示させて、オーバーラップイメージＡ２を獲得する。具体的に説明すると、“ＲＬＲＬＲＬＲＬＲＬ……”の順序に基づいて、前記表示装置１２に前記右イメージＲ及び前記左イメージＬを交互に表示して、はっきり識別できないオーバーラップイメージＡ２を獲得する。
【００２１】
ステップＳ１１において、使用者がかけた前記眼鏡１４は、前記オーバーラップイメージＡ２を受け、前記眼鏡１４のリアルタイムクロック１４４は、前記表示装置１２のリアルタイムクロック１２０から持続に伝送される信号を受信して、前記眼鏡１４のリアルタイムクロック１４４が前記表示装置１２のリアルタイムクロック１２０と同期する。本実施形態において、前記信号の伝送方式は、無線伝送又は有線伝送である。例えば、前記表示装置１２のリアルタイムクロック１２０は、高固定頻度及び低パルスの同期信号を前記リアルタイムクロック１４４に持続に伝送する。他の実施形態において、前記信号は、前記変形ユニット１００の変形パラメーターであることができ、前記変形パラメーターは、前記左イメージ及び前記右イメージの設定を指し、例えば、偶数フレームのイメージを左イメージに設定し、奇数フレームのイメージを右イメージに設定する。
【００２２】
ステップＳ１３において、前記回復ユニット１４０は、前記オーバーラップイメージＡ２の中の左イメージ及び右イメージを分離してから、使用者が閲覧するようにする。図３及び図４に示されたように、回復されたイメージは、右イメージＡ３及び左イメージＡ４を備え、前記右イメージＡ３及び前記左イメージＡ４を、別々に使用者の右目及び左目が見るようにする。この時、使用者の左目及び右目が見るイメージは、機密文書のセキュリティイメージＡ１である。  
【００２３】
図４に示されたように、前記変形ユニット１００は、前もって奇数フレームのイメージを右イメージに設定し、偶数フレームのイメージを左イメージに設定したので、前記回復ユニット１４０は、この設定によって左イメージ及び右イメージを分離することができ、従って回復された右イメージＡ３及び左イメージＡ４を獲得する。
【００２４】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２５】
１  電子機密文書閲覧装置
１０  電子装置
１２  表示装置
１４  眼鏡
１００  変形ユニット
１０２，１４２  ストレージユニット
１０４  プロセッサー
１２０，１４４  リアルタイムクロック
１４０  回復ユニット
Ａ１  セキュリティイメージＡ１
Ａ２  オーバーラップイメージ
Ａ３  右イメージ
Ａ４  左イメージ
ｓ  変位値
【図１】
2012098729.tif 000003
【図２】
2012098729.tif 000004
【図３】
2012098729.tif 000005
【図４】
2012098729.tif 000006